(57)【要約】【課題】調理器をユーザが操作する際に、できるだけ視線移動を少なくすることで、誤操作を生じ難くすること。【解決手段】各種調理コース選択表示部（８ｂ）と、調理に関する時間を設定表示するための時間表示領域（８ｃ）と、時間表示領域（８ｃ）における時間設定操作を行うタッチ操作指示領域（８ａ）と、を含み、タッチ操作指示領域（８ａ）は、時間表示領域（８ｃ）に近接して設けられている。【選択図】図１
2020058661.tif 000002
【特許請求の範囲】
【請求項１】
調理器で実行する調理コースが選択されたことを示す選択コース表示部と、
調理に関する時間を設定表示するための設定時間表示部と、
上記設定時間表示部における時間設定操作を行うタッチ操作指示部と、を含み、
上記タッチ操作指示部は、
少なくとも、上記設定時間表示部に近接して設けられていることを特徴とする操作表示装置。
【請求項２】
上記選択コース表示部は、上記タッチ操作指示部に近接して設けられていることを特徴とする請求項１に記載の操作表示装置。
【請求項３】
上記タッチ操作指示部を挟んで、上記選択コース表示部と上記設定時間表示部とが設けられていることを特徴とする請求項２に記載の操作表示装置。
【請求項４】
上記タッチ操作指示部は、線形状であり、線形状に沿ったタッチ操作の距離に応じて上記設定時間表示部の設定時間を変化させることを特徴とする請求項１〜３の何れか１項に記載の操作表示装置。
【請求項５】
上記タッチ操作指示部は、少なくとも上記設定時間表示部を囲むリング状であることを特徴とする請求項４に記載の操作表示装置。
【請求項６】
上記タッチ操作指示部は、直線形状であることを特徴とする請求項４に記載の操作表示装置。
【請求項７】
上記タッチ操作指示部は、少なくとも上記設定時間表示部を囲む円弧状であることを特徴とする請求項４に記載の操作表示装置。
【請求項８】
上記タッチ操作指示部は、
上記選択コース表示部に表示させる調理コースの選択操作を行うことを特徴とする請求項１〜７の何れか１項に記載の操作表示装置。
【請求項９】
請求項１〜８の何れか１項に記載の操作表示装置を備えた調理器。
【発明の詳細な説明】
【技術分野】
【０００１】
本発明は、ユーザが調理器を操作するための操作表示装置に関する。
【背景技術】
【０００２】
一般的な調理器では、調理メニューや予約時刻等を表示する表示部と、ユーザが操作する操作部とを備えている。例えば、図１３に示す一般的な炊飯器１０１では、表示部１１１と操作部１１２とが離れた位置に設けられている（例えば特許文献１の炊飯器）。
【先行技術文献】
【特許文献】
【０００３】
【特許文献１】特開２０１８−１１７７８９号公報（２０１８年８月２日公開）
【発明の概要】
【発明が解決しようとする課題】
【０００４】
しかしながら、従来の炊飯器では、表示部１１１と操作部１１２とが離れた位置に設けられているため、ユーザが炊飯器１０１を操作する際に、操作部１１２と表示部１１１との間で視線移動が生じる。このため、誤操作が生じ易くなるという問題がある。
【０００５】
本発明の一態様は、調理器をユーザが操作する際に、できるだけ視線移動を少なくすることで、誤操作を生じ難くすることのできる操作表示装置を実現することを目的とする。
【課題を解決するための手段】
【０００６】
上記の課題を解決するために、本発明の一態様に係る操作表示装置は、調理器で実行する調理コースが選択されたことを示す選択コース表示部と、調理に関する時間を設定表示するための設定時間表示部と、上記設定時間表示部における時間設定操作を行うタッチ操作指示部と、を含み、上記タッチ操作指示部は、少なくとも、上記設定時間表示部に近接して設けられていることを特徴としている。
【発明の効果】
【０００７】
本発明の一態様によれば、調理器をユーザが操作する際に、できるだけ視線移動を少なくすることで、誤操作を生じ難くすることのできる操作表示装置を実現することができる。
【図面の簡単な説明】
【０００８】
【図１】本発明の実施形態１に係る炊飯器の蓋体の平面図である。
【図２】図１に示す炊飯器の斜視図を示し、（ａ）は蓋をした状態の炊飯器の斜視図、（ｂ）は（ａ）の炊飯器の分解斜視図である。
【図３】図１に示す炊飯器の概略構成を示す図である。
【図４】図１に示す炊飯器の蓋本体側の制御回路の概略ブロック図である。
【図５】図１に示す炊飯器の調理器本体側の制御回路の概略ブロック図である。
【図６】図１に示す炊飯器の操作表示部の概略構成図である。
【図７】図６に示す操作表示部の操作の流れを説明するための図であり、（ａ）は選択コースを表示する選択コース表示部を示し、（ｂ）はユーザがタッチ操作を行うタッチ操作部を示す図である。
【図８】図７に示すタッチ操作指示領域における表示送り対象と送り速度との関係を示す図である。
【図９】選択コース表示部の他の例を示す図である。
【図１０】本発明の実施形態２に係る炊飯器のタッチ操作部を示す図である。
【図１１】本発明の実施形態３に係る炊飯器のタッチ操作部を示す図である。
【図１２】本発明の実施形態４に係る炊飯器のタッチ操作部を示す図である。
【図１３】従来の炊飯器の蓋体の平面図である。
【発明を実施するための形態】
【０００９】
〔実施形態１〕
以下、本発明の一実施形態について、詳細に説明する。なお、本実施形態では、調理器の操作表示装置として、炊飯器の操作表示装置の例について説明する。
【００１０】
（炊飯器の概略）
図２は、本実施形態１に係る炊飯器１を示し、（ａ）は蓋をした状態の炊飯器の斜視図、（ｂ）は（ａ）の炊飯器の分解斜視図を示す。図３は、図２に示す炊飯器１の概略構成を示す図である。
【００１１】
図２の（ａ）に示すように、炊飯器１は、炊飯器本体（調理器本体）３と、この炊飯器本体３の上部に取り付けられた蓋体２とを備えている。蓋体２は、図２の（ｂ）に示すように、当該炊飯器本体３から完全に分離できるようになっている。この炊飯器１は、炊飯のみならず、煮物や蒸し物などといった調理にも使用できるように構成されている。
【００１２】
蓋体２には、炊飯器１の炊飯操作を行うためのＵＩ（User Interface）部（操作表示装置）８が設けられている。ＵＩ部８は、タッチパネル式の液晶表示パネルで構成されており、ユーザは、液晶表示パネルに表示された操作ボタン等をタッチ操作することで、炊飯器１の炊飯操作を行うことができる。なお、タッチパネル式の液晶表示パネルの代わりに、タッチパネル式の有機ＥＬパネルを用いてもよい。ＵＩ部８の詳細は、後述する。
【００１３】
ＵＩ部８には、電力の供給および炊飯器１を制御するための制御信号の送受信が必要である。電力の供給は、炊飯器本体３から行われる。また、制御信号の送受信は、蓋体２と炊飯器本体３との間で行われる。一般的には、これらの電力供給と制御信号の送受信は有線で行われるが、本実施形態に係る炊飯器１では、蓋体２が炊飯器本体３から完全に分離できるように構成されているため、ワイヤレス給電による給電、非接触通信による調理信号等の制御信号の送受信を行うようになっている。ワイヤレス給電は、図３に示すように、蓋体２のワイヤレス給電部５ａと炊飯器本体３のワイヤレス給電部５ｂとの間で行われ、非接触通信は、蓋体２の非接触通信部６ａと炊飯器本体３の非接触通信部６ｂとの間で行われる。ワイヤレス給電、非接触通信の詳細は後述する。
【００１４】
このように、ワイヤレス給電、非接触通信を実現することで、従来必要であった配線を無くすことができるので、配線によるデザインの規制を無くすことができる。従って、デザイン優先の炊飯器１を実現することが可能となる。
【００１５】
（蓋体２）
蓋体２は、炊飯器本体３の上面を覆う外蓋２１と、内釜４に蓋をする内蓋２２とで構成されている。ここで、内蓋２２は、図２の（ｂ）に示すように、外蓋２１と完全に独立して形成されており、当該外蓋２１を炊飯器本体３から取り外しときには、内釜４に蓋をした状態を維持したままとなる。また、本実施形態では、アルミダイキャストで内蓋２２を形成している。
【００１６】
蓋体２は、炊飯器本体３に蓋をする際には、まず、内蓋２２によって内釜４に蓋をして、その上から外蓋２１によって当該内蓋２２を覆うようにセットする。内蓋２２の表面には、ユーザが摘まむことができるように略円柱状に突起したつまみ部２３が形成されている。また、外蓋２１には、内蓋２２が内釜４に蓋をした状態で、炊飯器本体３の所定の位置にセットされたときに、当該内蓋２２のつまみ部２３が嵌まり込む開口部（図示せず）が形成されている。つまり、蓋体２を炊飯器本体３にセットする際、内釜４に蓋をした内蓋２２のつまみ部２３に、外蓋２１の開口部が嵌まり込むようにする。この位置を、蓋体２が炊飯器本体３にセットされた適正位置とする。
【００１７】
通常、炊飯器１によって炊飯を開始すれば、内釜４内で蒸気が発生する。内釜４内で発生した蒸気を逃がすために、蓋体２には蒸気孔２１ａが設けられる。
【００１８】
蓋体２に設けられたＵＩ部８に表示される情報およびタッチしたタッチ信号の伝送は、上述したように蓋体２と炊飯器本体３との間における非接触通信によって行われる。また、ＵＩ部８への電力の供給は、上述したように蓋体２と炊飯器本体３との間におけるワイヤレス給電によって行われる。
【００１９】
（ＵＩ部の概要）
図１は、本実施形態に係る炊飯器１の蓋体２の正面図である。
【００２０】
蓋体２の表面２ａには、図１に示すように、上述した蒸気孔２１ａの他に、ＵＩ部８が設けられている。
【００２１】
ＵＩ部８は、表示領域として、タッチ操作指示領域（タッチ操作指示部）８ａ、各種調理コース選択表示部（選択コース表示部）８ｂ、時間表示領域（設定時間表示部）８ｃ、予約指示領域８ｄ、炊飯開始指示領域８ｅ、取消指示領域８ｆを含んでいる。
【００２２】
タッチ操作指示領域８ａは、ユーザによるタッチ操作によって時間表示領域８ｃに表示される時間の設定、各種調理コース選択表示部８ｂに表示される調理メニューの選択等の種々の指示を行う指示領域である。つまり、タッチ操作指示領域８ａは、少なくとも時間表示領域８ｃに表示される時間の設定、各種調理コース選択表示部８ｂに表示される調理メニューの選択の両方の操作を行う領域である。
【００２３】
各種調理コース選択表示部８ｂは、タッチ操作指示領域８ａのユーザによるタッチ操作により選択された調理メニュー（炊飯器１で実行する調理メニュー）を表示する表示領域である。なお、各種調理コース選択表示部８ｂでは、調理メニューが選択された際、ユーザが認識できるように、選択された調理メニューを他の調理メニューよりも強調して表示してもよいし、選択された調理メニューのみを表示するようにしてもよい。
【００２４】
時間表示領域８ｃは、現在の時刻や、予約時間、調理全体に必要な時間、調理の残り時間等の調理に関する時間を表示する表示領域である。
【００２５】
予約指示領域８ｄは、調理の予約を行う際に使用するタッチ操作領域である。
【００２６】
炊飯開始指示領域８ｅは、炊飯開始を行う際に使用するタッチ操作領域である。
【００２７】
取消指示領域８ｆは、予約調理、調理メニューの設定等の種々の設定の取り消しを行うためのタッチ指示領域である。なお、誤操作防止のために、取消指示領域８ｆは、長押し（例えば３秒以上）した場合に機能するように設定されている。
【００２８】
タッチ操作指示領域８ａは、線形状であり、線形状に沿ったタッチ操作の距離に応じて時間表示領域８ｃの設定時間を変化させるようになっている。なお、タッチ操作指示領域８ａは、上述したように、各種調理コース選択表示部８ｂに表示される調理コースの選択を行うのにも用いられる。この場合、タッチ操作の距離に応じて調理コースの表示（例えば点灯・非点灯）を切替える。
【００２９】
タッチ操作指示領域８ａによる、時間表示領域８ｃの時間の設定と、各種調理コース選択表示部８ｂに表示される調理コースの選択の切替は、時間表示領域８ｃまたは各種調理コース選択表示部８ｂをタッチすることで行う。つまり、ユーザが時間表示領域８ｃをタッチすれば、時間表示領域８ｃの時間の設定に切り替わり、ユーザが各種調理コース選択表示部８ｂをタッチすれば、各種調理コース選択表示部８ｂの調理コースの選択に切り替わる。ただし、時間表示領域８ｃにおける予約時間の設定は、調理コースが選択され、予約指示領域８ｄをユーザがタッチした後で行う。
【００３０】
タッチ操作指示領域８ａは、時間表示領域８ｃ、予約指示領域８ｄ、炊飯開始指示領域８ｅを囲むリング状である。なお、時間設定時の視線移動を少なくするために、タッチ操作指示領域８ａは時間表示領域８ｃの近傍（近接した位置）に設けることが好ましい。同様に、予約時から時間設定時への視線移動、時間設定時から炊飯開始時までの視線移動をできるだけ少なくするという観点から、予約指示領域８ｄ、炊飯開始指示領域８ｅも時間表示領域８ｃと同様にタッチ操作指示領域８ａで囲まれているのが好ましい。しかしながら、予約指示領域８ｄおよび炊飯開始指示領域８ｅについては、タッチ操作指示領域８ａから離れた位置に設けてもよい。
【００３１】
ここで、近接した位置とは、ユーザがタッチ操作指示領域８ａを操作する際に、視線移動をできるだけしない位置をいう。従って、上述したように、タッチ操作指示領域８ａに近接した位置には、時間表示領域８ｃ、予約指示領域８ｄ、炊飯開始指示領域８ｅの他に、各種調理コース選択表示部８ｂも配置するのが好ましい。
【００３２】
また、予約指示領域８ｄ、炊飯開始指示領域８ｅ、取消指示領域８ｆについては、物理的なスイッチで構成し、予約スイッチ、炊飯開始スイッチ、取消スイッチとしてもよい。
【００３３】
各種調理コース選択表示部８ｂは、タッチ操作指示領域８ａに近接して設けられている。また、各種調理コース選択表示部８ｂは、タッチ操作指示領域８ａを介して、時間表示領域８ｃと反対側に設けられている。
【００３４】
上記構成のＵＩ部（操作表示装置）８によって、炊飯器本体３を操作する。
【００３５】
次に、炊飯器本体３の制御系について以下に説明する。
【００３６】
（制御系）
炊飯器１の制御系について説明する。図４は、蓋体２に設けられた制御回路の構成を示すブロック図である。図５は、炊飯器本体３に設けられた制御回路の構成を示すブロック図である。
【００３７】
まず、蓋体２の制御回路について説明する。図４に示すように、蓋体２は、制御系の主要部として、ＣＰＵ３０と、ＲＯＭ（Read Only Memory）３４と、ＲＡＭ（Random Access Memory）３５とを備えている。また、ＣＰＵ３０は、調理制御部３３、非接触通信部６ａ、ワイヤレス給電部５ａ、通信状態判定部３１、電力測定部３２、ＵＩ部８が接続されている。
【００３８】
ＣＰＵ３０は、ＲＯＭ３４に格納された制御プログラムを実行することによって、各部を制御する。具体的には、ＣＰＵ３０は、ＵＩ部８の表示制御、操作の受け付け、調理制御部３３への調理制御の指示をする制御、通信状態判定部３１による非接触通信部６ａの通信状態の判定、電力測定部３２によるワイヤレス給電部５ａの給電状態の判定を行う制御などを行う。
【００３９】
外蓋２１には、蓋の温度を測定する蓋サーミスタ１４が設けられている。蓋サーミスタ１４は、ＣＰＵ３０に接続され、温度制御を行っている。
【００４０】
次に、炊飯器本体３の制御回路について説明する。図５に示すように、炊飯器本体３は、制御系の主要部として、ＣＰＵ４０と、ＲＯＭ４４、ＲＡＭ４５とを備えている。また、ＣＰＵ４０は、非接触通信部６ｂ、ワイヤレス給電部５ｂ、通信状態判定部４１、誘導コイル７が接続されている。
【００４１】
ＣＰＵ４０は、ＲＯＭ４４に格納された制御プログラムを実行することによって、各部を制御する。具体的には、ＣＰＵ４０は、蓋体２の調理制御部３３からの指示信号を非接触通信部６ｂによって受付けることで、誘導コイル７のオン・オフ制御、通信状態判定部４１による非接触通信部６ｂの通信状態の判定制御、ワイヤレス給電部５ｂの給電制御などを行なう。さらに、ＣＰＵ４０は、ＵＩ部２４の表示制御、操作の受け付け、調理制御部３３への調理制御の指示をする制御、底サーミスタ１２による誘導コイル７による加熱制御を行う。
【００４２】
ワイヤレス給電部５ｂには、電源４２が接続されている。電源４２は、炊飯器本体３に内蔵されたコードリールに引き出し可能に巻き付けられている電源コードを家庭内のコンセントに差し込むことによって供給される商用電源から、ワイヤレス給電用の電圧への変換を実現している。
【００４３】
（ＵＩ部８の操作表示）
ＵＩ部８による操作表示の一例について以下に説明する。図６は、ユーザがＵＩ部８を操作している状態を示す図である。図７は、図６に示す操作表示部の操作の流れを説明するための図であり、（ａ）は選択コースを表示する各種調理コース選択表示部８ｂを示し、（ｂ）はユーザがタッチ操作を行うタッチ操作指示領域８ａを示す図である。図８は、図７に示すタッチ操作指示領域８ａにおける表示送り対象と送り速度との関係を示す図である。
【００４４】
ユーザは、図６に示すように、タッチ操作指示領域８ａをリング状に沿って連続してタッチ移動させることで、各種調理コース選択表示部８ｂに表示される調理コースの中から所望する調理コースを選択する。例えば、各種調理コース選択表示部８ｂに、例えば図７の（ａ）に示すように、複数の調理コースを３行４列に表示した場合、ユーザがタッチ操作指示領域８ａを時計回りにタッチ操作することで、白米、無洗米、おいそぎ、玄米という順に選択対象の調理コースを切替える。つまり、一行目の表示を左から右に切替えて、最後の調理コースが玄米になると、二行目の炊き込み、すしめし、おかゆ、蒸し野菜の順に表示を切替える。このようにして三行目の調理コースも切替える。なお、タッチ操作指示領域８ａを反時計回りにタッチ操作すれば、時計回りのタッチ操作と逆に、玄米、おいそぎ、無洗米、白米の順に選択対象の調理コースを切替える。切替操作の間、選択対象となった調理コースは、ユーザが認識できるように、他の調理コースと異なる表示、例えば点滅表示（非選択の調理コースは点灯表示）にしたり、点灯表示（非選択の調理コースは消灯）にしたりする。
【００４５】
調理コースを選択した後、予約指示領域８ｄをユーザがタッチすれば、予約時刻の設定を行う。この場合、図７の（ｂ）に示すように、タッチ操作指示領域８ａをユーザがタッチ操作することで、時間表示領域８ｃに表示される予約時刻を変化させる。例えば、タッチ操作指示領域８ａを時計回りにタッチ操作すれば、時刻が進み、反時計回りにタッチ操作すれば、時刻が戻る。このように、ユーザは、タッチ操作指示領域８ａを時計回り、反時計回りにタッチ操作することで所望する予約時刻を設定する。予約時刻を設定した後、炊飯開始指示領域８ｅをタッチすることで、予約炊飯を開始させる。
【００４６】
一方、調理コースを選択した後、直ぐに炊飯開始指示領域８ｅをタッチすれば、炊飯を開始させる。
【００４７】
ここで、各種調理コース選択表示部８ｂにおける調理コース（１２種類の調理コース）の送り速度（切替速度）、時間表示領域８ｃにおける時計、予約時刻の送り速度と、タッチ操作指示領域８ａにおけるタッチ操作の移動量（回転数や、回転角度等）との関係は、図８に示すようになる。
【００４８】
すなわち、表示送り対象の一つである調理コースの場合、タッチ操作指示領域８ａを１回転させるタッチ操作の移動量で、１２の調理コースを順に送る。つまり、１メニュー進ませるのに、３０°の操作角が必要となる。ここで操作角は、タッチ操作指示領域８ａをタッチ操作する際のタッチ操作の移動量を角度で示したものである。ここで、タッチ操作の移動を時計回りに（右回り）にした場合、調理コースは、順送りとなる。また、タッチ操作の移動を反時計回りに（左回り）にした場合、調理コースは、逆送りとなる。このように、順送りの場合、最初の「白米」から最後の「かため」まで切り替ったら、最初の「白米」に戻り、再度、最後の「かため」まで順に送る。逆送りの場合、最初の調理コースが「白米」とすれば、「白米」の次に、最後の「かため」に切り替わり、その次に、「やわらかめ」という順に切り替り、最後に「白米」に戻る。
【００４９】
また、時間表示領域８ｃにおける時計の時刻設定は、タッチ操作指示領域８ａを１回転させるタッチ操作の移動量で、６０分進ませる。つまり、１分送りの場合、１分進ませるのに６°の操作角が必要となる。
【００５０】
同様に、時間表示領域８ｃにおける予約時刻の時刻設定は、タッチ操作指示領域８ａを１回転させるタッチ操作の移動量で、６０分進ませる。つまり、１０分送りの場合、１０分で６０°の操作角が必要となる。
【００５１】
なお、図８に示した送り速度は一例であり、これらの数値に限定されるものではない。
【００５２】
（効果）
上記構成によれば、ＵＩ部８において、タッチ操作指示領域８ａは、少なくとも、時間表示領域８ｃに近接して設けられていることで、ユーザが調理に関する時間等の設定を行う際の、タッチ操作指示領域８ａと時間表示領域８ｃとの間で視線移動が少なくて済む。これにより、調理の予約時間や、調理時間等を設定する際の誤動作を軽減することができる。つまり、調理器をユーザが操作する際に、視線移動が少なくなるので、誤操作が生じ難くなる。
【００５３】
しかも、各種調理コース選択表示部８ｂが、タッチ操作指示領域８ａに近接して設けられていることで、ユーザによるタッチ操作指示領域８ａと各種調理コース選択表示部８ｂとの間での視線移動も少なくなるので、さらに誤操作が生じ難くなる。
【００５４】
〔変形例１〕
本実施形態１では、各種調理コース選択表示部８ｂとして、図７の（ａ）に示すように、全ての調理コースを表示して、選択、非選択が変わるように表示する例について説明したが、これに限定されるものではない。
【００５５】
図９に示すように、ＵＩ部１８として、各種調理コース選択表示部１８ａに、選択した調理コースを最前列に表示させるようにしてもよい。この場合、最前列に表示される調理コースが、タッチ操作により切り替るようにしている。
【００５６】
本実施形態では、タッチ操作指示領域８ａは、時間表示領域８ｃ、予約指示領域８ｄ、炊飯開始指示領域８ｅを囲むリング状である例について説明した。以下の実施形態２，３では、リング状以外のタッチ操作指示領域の例について説明する。
【００５７】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５８】
図１０は、本実施形態に係るＵＩ部２８の概略を示す図である。ＵＩ部２８は、図１０に示すように、ユーザが操作するタッチ操作指示領域２８ａがバー状である点で、前記実施形態１のＵＩ部８と異なる。他の構成要素、各種調理コース選択表示部２８ｂ、時間表示領域２８ｃ、予約指示領域２８ｄ、炊飯開始指示領域２８ｅ、取消指示領域２８ｆについては、前記実施形態１のＵＩ部の各種調理コース選択表示部８ｂ、時間表示領域８ｃ、予約指示領域８ｄ、炊飯開始指示領域８ｅ、取消指示領域８ｆと同じである。
【００５９】
タッチ操作指示領域２８ａは、時間表示領域２８ｃ、予約指示領域２８ｄ、炊飯開始指示領域２８ｅと、各種調理コース選択表示部２８ｂとの間に配置されている。
【００６０】
ユーザは、タッチ操作指示領域２８ａを操作する場合、連続タッチ操作（図の左右方向へのタッチ操作）により、調理コースの選択、時刻の設定を行う。
【００６１】
ＵＩ部２８の場合も、ＵＩ部８と同様の効果を奏する。すなわち、ＵＩ部２８において、タッチ操作指示領域２８ａは、少なくとも、時間表示領域２８ｃに近接して設けられていることで、ユーザが調理に関する時間等の設定を行う際の、タッチ操作指示領域２８ａと時間表示領域２８ｃとの間で視線移動が少なくて済む。これにより、調理の予約時間や、調理時間等を設定する際の誤動作を軽減することができる。つまり、調理器をユーザが操作する際に、視線移動が少なくなるので、誤操作が生じ難くなる。
【００６２】
しかも、各種調理コース選択表示部２８ｂが、タッチ操作指示領域２８ａに近接して設けられていることで、ユーザによるタッチ操作指示領域２８ａと各種調理コース選択表示部２８ｂとの間での視線移動も少なくなるので、さらに誤操作が生じ難くなる。
【００６３】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００６４】
図１１は、本実施形態に係るＵＩ部３８の概略を示す図である。ＵＩ部３８は、図１１に示すように、ユーザが操作するタッチ操作指示領域３８ａが円弧状である点で、前記実施形態１のＵＩ部８と異なる。他の構成要素、各種調理コース選択表示部３８ｂ、時間表示領域３８ｃ、予約指示領域３８ｄ、炊飯開始指示領域３８ｅ、取消指示領域３８ｆについては、前記実施形態１のＵＩ部の各種調理コース選択表示部８ｂ、時間表示領域８ｃ、予約指示領域８ｄ、炊飯開始指示領域８ｅ、取消指示領域８ｆと同じである。
【００６５】
タッチ操作指示領域３８ａは、時間表示領域３８ｃ、予約指示領域３８ｄ、炊飯開始指示領域３８ｅと、各種調理コース選択表示部３８ｂとの間に配置され、各種調理コース選択表示部３８ｂ側が閉じた円弧状である。
【００６６】
ユーザは、タッチ操作指示領域３８ａを操作する場合、連続タッチ操作（図の円弧をなぞるようなタッチ操作）により、調理コースの選択、時刻の設定を行う。
【００６７】
ＵＩ部３８の場合も、ＵＩ部８と同様の効果を奏する。すなわち、ＵＩ部３８において、タッチ操作指示領域３８ａは、少なくとも、時間表示領域３８ｃに近接して設けられていることで、ユーザが調理に関する時間等の設定を行う際の、タッチ操作指示領域３８ａと時間表示領域３８ｃとの間で視線移動が少なくて済む。これにより、調理の予約時間や、調理時間等を設定する際の誤動作を軽減することができる。つまり、調理器をユーザが操作する際に、視線移動が少なくなるので、誤操作が生じ難くなる。
【００６８】
しかも、各種調理コース選択表示部３８ｂが、タッチ操作指示領域３８ａに近接して設けられていることで、ユーザによるタッチ操作指示領域３８ａと各種調理コース選択表示部３８ｂとの間での視線移動も少なくなるので、さらに誤操作が生じ難くなる。
【００６９】
〔変形例２〕
円弧状のタッチ操作指示領域としては、図１２に示すＵＩ部４８のタッチ操作指示領域４８ａであってもよい。ＵＩ部４８は、タッチ操作指示領域４８ａ以外、図１１に示すＵＩ部３８と同じである。すなわち、ＵＩ部４８のタッチ操作指示領域４８ａ以外の構成要素、各種調理コース選択表示部４８ｂ、時間表示領域４８ｃ、予約指示領域４８ｄ、炊飯開始指示領域４８ｅ、取消指示領域４８ｆについては、図１１に示すＵＩ部３８の各種調理コース選択表示部３８ｂ、時間表示領域３８ｃ、予約指示領域３８ｄ、炊飯開始指示領域３８ｅ、取消指示領域３８ｆと同じである。
【００７０】
タッチ操作指示領域４８ａは、時間表示領域４８ｃ、予約指示領域４８ｄ、炊飯開始指示領域４８ｅと、各種調理コース選択表示部４８ｂとの間に配置され、各種調理コース選択表示部４８ｂ側が開いた円弧状である。
【００７１】
ユーザは、タッチ操作指示領域４８ａを操作する場合、連続タッチ操作（図の円弧をなぞるようなタッチ操作）により、調理コースの選択、時刻の設定を行う。
【００７２】
ＵＩ部４８によって奏する効果は、図１１に示すＵＩ部３８と同じ効果を奏する。
【００７３】
なお、前記実施形態１〜３では、本発明の操作表示装置を調理器として炊飯器に適用した例について説明したが、これに限定されるものではなく、炊飯器以外の調理器、電子レンジ等の加熱調理器などの各種調理メニュー（調理コース）が選択可能な調理器に本発明の操作表示装置を適用してもよい。
【００７４】
また、前記実施形態１〜３では、何れも一つのタッチ操作指示領域が時間設定と調理コースの選択を兼用した例について説明したが、時間設定と、調理コースとは別々の指示領域によって設定してもよい。
【００７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７６】
１  炊飯器
２  蓋体
２ａ  表面
３  炊飯器本体
５ａ、５ｂ  ワイヤレス給電部
６ａ、６ｂ  非接触通信部
７  誘導コイル
８、１８、２４、２８、３８、４８、８  ＵＩ部（操作表示部）
８ａ、２８ａ、３８ａ、４８ａ  タッチ操作指示領域（タッチ操作指示部）
８ｂ、１８ａ、２８ｂ、３８ｂ、４８ｂ  各種調理コース選択表示部（選択コース表示部）
８ｃ、２８ｃ、３８ｃ、４８ｃ  時間表示領域（設定時間表示部）
８ｄ、２８ｄ、３８ｄ、４８ｄ  予約指示領域
８ｅ、２８ｅ、３８ｅ、４８ｅ  炊飯開始指示領域
８ｆ、２８ｆ、３８ｆ、４８ｆ  取消指示領域
１４  蓋サーミスタ
１５  底サーミスタ
２１  外蓋
２１ａ  蒸気孔
２２  内蓋
２３  つまみ部
３０、４０  ＣＰＵ
３１、４１  通信状態判定部
３２  電力測定部
３３  調理制御部
３４、４４  ＲＯＭ
４２  電源
３５，４５  ＲＡＭ
【図１】
2020058661.tif 000003
【図２】
2020058661.tif 000004
【図３】
2020058661.tif 000005
【図４】
2020058661.tif 000006
【図５】
2020058661.tif 000007
【図６】
2020058661.tif 000008
【図７】
2020058661.tif 000009
【図８】
2020058661.tif 000010
【図９】
2020058661.tif 000011
【図１０】
2020058661.tif 000012
【図１１】
2020058661.tif 000013
【図１２】
2020058661.tif 000014
【図１３】
2020058661.tif 000015